【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
塗布液を収容する液体収容空間と塗布体との連通路途上に、弁座体および弁棒体が軸方向に相対移動することによって塗布液の塗布体に向けての供給を許容・制止するバルブ機構を有する塗布具において、
バルブ機構の弁座体は、軸方向の両端部に開口がある略筒体であって、内部の先方側および後方側に弁棒体に摺接する液密部が形成され、前記後方側開口が液体収容空間に面し、かつ、先方側開口が塗布体側に面して設けられ、
前記弁棒体の外周部に、前記弁座体内の先方側液密部に液密状態で摺接する先方側のピストン部が、前記弁座体内の後方側液密部に液密状態で摺接する後方側のピストン部がそれぞれ設けられると共に、該外周部と前記弁座体内面との間に塗布液を流通する空間が設けられ、
前記弁座体内の先方側液密部および後方側液密部の間の距離よりも弁棒体の先方側のピストン部および後方側のピストン部の間の距離を短く設定して、弁座体および弁棒体同士が相対移動することによって、弁棒体の先方側のピストン部が前記弁座体内の先方側液密部に摺接する第１の状態と、弁棒体の先方側のピストン部および後方側のピストン部の前記弁座体内の双方の液密部に摺接しない第２の状態と、弁棒体の後方側のピストン部が弁座体内の後方側液密部に摺接する第３の状態とを取り得るように形成したことを特徴とする塗布具。
【請求項２】
前記第１の状態では、前記弁棒体が弁座体に対して先方側端の位置から後方に第１の距離未満移動したときに、弁棒体先方側ピストン部が弁座体の先方側液密部に密接しながら摺接し、かつ、弁棒体後方側ピストン部が弁座体の後方側液密部から離れて、収容空間側を加圧し、
前記第２の状態では、前記弁棒体が弁座体に対して後方に前記第１の距離以上であって第２の距離未満移動したときに、弁棒体先方側ピストン部が弁座体の先方側液密部を離れ、かつ、弁棒体後方側ピストン部が弁座体の後方側液密部から離れて、弁座体内部を通してその先方側開口と後方側開口が連通し、
前記第３の状態では、前記弁棒体が弁座体に対して後方側に前記第２の距離以上移動したときに、弁棒体先方側ピストン部が弁座体の先方側液密部を離れ、かつ、弁棒体後方側ピストン部が弁座体の後方側液密部に密接しながら摺接して塗布体へ塗布液を誘導するようになっており、
弁棒体および弁座体が軸方向に相対移動する際には、前記第２の状態になる距離は、第１の状態および第３の状態になる距離よりも小さく、液体収容空間内の圧力を塗布液のボタ落ちなく外部に抜ける距離になっていることを特徴とする請求項１に記載の塗布具。
【請求項３】
塗布具のバルブ機構は、弁座体および弁棒体間にスプリング部材を介装しており、スプリング部材は弁棒体が弁座体に対して先方側端に位置するように付勢していることを特徴とする請求項１または２に記載の塗布具。
【請求項４】
弁座体先方側開口には、当該先方側開口を塗布体に連通する管路が設けられ、この管路内には、塗布液を塗布体に向けて誘導する誘導棒体が挿入されていることを特徴とする請求項１から３のうちの１項に記載の塗布具。
【請求項５】
誘導棒体と管路内面との間の間隙は、塗布液を誘導させる寸法になっていることを特徴とする請求項４に記載の塗布具。
【請求項６】
誘導棒体は、塗布液に対して濡れ性のよい材質にしたことを特徴とする請求項４または５に記載の塗布具。
【手続補正２】
【補正対象書類名】明細書
【補正対象項目名】０００８
【補正方法】変更
【補正の内容】
【０００８】
本発明は塗布具に係り、塗布液を収容する液体収容空間と塗布体との連通路途上に、弁座体および弁棒体が軸方向に相対移動することによって塗布液の塗布体に向けての供給を許容・制止するバルブ機構を有する塗布具において、
バルブ機構の弁座体は、軸方向の両端部に開口がある略筒体であって、内部の先方側および後方側に弁棒体に摺接する液密部が形成され、前記後方側開口が液体収容空間に面し、かつ、先方側開口が塗布体側に面して設けられ、
前記弁棒体の外周部に、前記弁座体内の先方側液密部に液密状態で摺接する先方側のピストン部が、前記弁座体内の後方側液密部に液密状態で摺接する後方側のピストン部がそれぞれ設けられると共に、該外周部と前記弁座内面との間に塗布液を流通する空間が設けられ、
前記弁座体内の先方側液密部および後方側液密部の間の距離よりも弁棒体の先方側のピストン部および後方側のピストン部の間の距離を短く設定して、弁座体および弁棒体同士が相対移動することによって、弁棒体の先方側のピストン部が前記弁座体内の先方側液密部に摺接する第１の状態と、弁棒体の先方側のピストン部および後方側のピストン部の前記弁座体内の双方の液密部に摺接しない第２の状態と、弁棒体の後方側のピストン部が弁座体内の後方側液密部に摺接する第３の状態とを取り得るように形成したことを特徴とする塗布具である。
【手続補正３】
【補正対象書類名】明細書
【補正対象項目名】００２０
【補正方法】変更
【補正の内容】
【００２０】
また、誘導棒体を、塗布液に対して濡れ性のよい材質にすれば、さらにスムーズに塗布液を誘導できる。
【手続補正４】
【補正対象書類名】明細書
【補正対象項目名】００２５
【補正方法】変更
【補正の内容】
【００２５】
前記内軸１２は、後端部１２ｂが閉鎖されて内部が塗布液を収容する液体収容空間１２ｃになっており（撹拌ボール１２ｄを収容する場合がある）、一方、前端部（内軸の先端部）１２ａに前記バルブ機構１４を内装した状態で内先軸２６によって固定している。詳しくは、内軸１２の先方側を細くした前端部１２ａにバルブ機構１４を内装した状態で、インク導入管１８の後端部１８ｂをバルブ機構１４に摺動自在に繋ぎ、バルブ機構１４前端部にパッキング２８を介装して内先軸２６を内軸前端部１２ａに螺合等によって固定している。
【手続補正５】
【補正対象書類名】明細書
【補正対象項目名】００２７
【補正方法】変更
【補正の内容】
【００２７】
バルブ機構１４の弁座体３０は、軸方向の両端部に開口がある略筒体であって、内部の先方側（先側弁部材３２）および後方側（後側弁部材３４）に弁棒体３８に摺接する液密部が形成され、前記後方側開口が液体収容空間１２ｃに面し、かつ、先方側開口が塗布体１６側に面して設けられる。
また、図１、図３に示すように、弁座体３０の後側弁部材３４の内壁部には、長手方向の略中心から後方側にかけて、内壁部から径中心方向に突出した弁棒体３８をガイドするガイド柱３４ｃがリブ状に形成されている。このガイド柱３４ｃは、外軸１０が落下した際に、衝撃によって弁棒体３８が傾き先側弁部材３２の端面に乗り上げ、ノック不良になることを防ぐことができる。
【手続補正６】
【補正対象書類名】明細書
【補正対象項目名】００４１
【補正方法】変更
【補正の内容】
【００４１】
ユーザーが内軸後端部１２ｂをノックしない通常状態（非ノック時）では、図２（ａ）に示すように、スプリング部材３６は弁棒体３８の先方側のピストン部３８ａに後方から当設していて、そのピストン部３８ａが弁座体３０に対して先方側端に位置するように付勢している。
【手続補正７】
【補正対象書類名】明細書
【補正対象項目名】００４２
【補正方法】変更
【補正の内容】
【００４２】
内軸後端部１２ｂのノックを開始した状態では、まず、図２（ｂ）に示すように、前記第１の状態のように、前記弁棒体３８が弁座体３０に対して先方側端の位置から後方に第１の距離未満移動したときであり、弁棒体３８先方側のピストン部３８ａが弁座体３０の先方側液密部３２ｂに密接しながら摺接し、かつ、弁棒体３８後方側のピストン部３８ｂが弁座体３０の後方側液密部３４ｂから離れていて、液体収容空間１２ｃ側を加圧する状態になる。この際、弁棒体３８後方側のピストン部３８ｂが弁座体３０の後方側液密部３４ｂから離れているが、弁棒体３８先方側のピストン部３８ａが弁座体３０の先方側液密部３２ｂに密接しながら摺接しているので、液体収容空間１２ｃの内圧が上昇しても塗布液は吹き出さない状態である。
【手続補正８】
【補正対象書類名】図面
【補正対象項目名】図１
【補正方法】変更
【補正の内容】
【図１】
2009160928.tif 000001
【手続補正９】
【補正対象書類名】図面
【補正対象項目名】図２
【補正方法】変更
【補正の内容】
【図２】
2009160928.tif 000002